(57)【特許請求の範囲】
【請求項１】
硬貨を受け入れる硬貨受入処理部と、
前記硬貨受入処理部で受け入れられた硬貨を金種別に収納すると共に、収納した硬貨を繰り出す硬貨収納繰出部と、
前記硬貨収納繰出部から繰り出された硬貨を搬送する出金用搬送部と、
前記出金用搬送部で搬送された硬貨を一時保留する出金一時保留部と、
硬貨を出金用に貯めておける出金箱と、
硬貨を前記硬貨受入処理部まで搬送する循環用搬送部と、
を備え、
前記出金一時保留部は、一時保留された硬貨を、前記出金箱及び前記循環用搬送部のいずれか一方に選択的に放出するようになっている
ことを特徴とする硬貨処理装置。
【請求項２】
前記循環用搬送部は、硬貨を一時的に貯めておける硬貨滞留部を備えている
ことを特徴とする請求項１に記載の硬貨処理装置。
【請求項３】
当該硬貨処理装置は、機体を有しており、
前記出金箱は、前記機体から取り外すことができ、当該出金箱ごと貯めた硬貨を取り出せるようになっている
ことを特徴とする請求項１又は２に記載の硬貨処理装置。
【発明の詳細な説明】
【技術分野】
【０００１】
本発明は、硬貨を処理する硬貨処理装置に関する。
【背景技術】
【０００２】
従来より、金融機関等で使用される硬貨処理装置として、硬貨を処理すると共に硬貨を所定枚数重積して包装した包装硬貨である棒金を処理する硬貨処理装置がある。
【０００３】
このような硬貨処理装置では、機体内に投入される硬貨を硬貨受入処理部で受け入れ、識別部で識別し、正常と識別された硬貨を一時保留部で一時保留し、収納操作によって一時保留された硬貨を金種別の硬貨収納繰出部に収納している。また、硬貨収納繰出部に収納された硬貨は、１枚ずつ繰り出すことができる。従って、硬貨の出金に使用したり、硬貨を機体内に配置されている包装部へ送り込み所定枚数重積して包装した棒金とし、その棒金を機体内に配置されている棒金収納送出部に収納したり、棒金収納送出部から棒金を送り出して出金することも可能である。
【０００４】
このような硬貨処理装置では、機体内の上部域に硬貨受入処理部が配置され、この硬貨受入処理部の下部域に一時保留部が配置され、この一時保留部の下部域に硬貨収納繰出部が配置され、この硬貨収納繰出部の側部に並んで包装部が配置され、包装部の上部域に棒金収納送出部が配置されている。つまり、機体の下部域に、硬貨収納繰出部および包装部が機体の前面から見て幅方向に並んで配置されたレイアウトとなっている（例えば、特許文献１参照）。
【０００５】
以上のようなレイアウトのために、従来の硬貨処理装置は、幅方向寸法が比較的大きくなっていた。これにより、小規模の金融機関等では、機体の幅方向寸法の大きさが硬貨処理装置の導入の障害の１つだった。すなわち、機体の幅方向寸法が小さい硬貨処理装置が要望されていた。
【０００６】
一方、従来の硬貨処理装置では、包装部が硬貨収納繰出部や棒金収納送出部に比べて比較的大きな幅方向の寸法を必要としているため、包装部と硬貨収納繰出部とが機体の幅方向に並んで配置されたレイアウトでは、機体の幅方向寸法を小さくすることは難しかった。しかも、包装部と硬貨収納繰出部とが機体の幅方向に並んで配置されていると、硬貨収納繰出部内の硬貨を包装部に送り込むために、硬貨収納繰出部内の硬貨を上方へ搬送して包装部に送り込むための何らかの経路が必要であった。このことも、機体の幅方向寸法を小さくする妨げとなっていた。
【０００７】
本件出願人は、このような点に鑑みて、機体の幅方向寸法を小さくできる硬貨処理装置を創案した（特許文献２参照）。この新型の硬貨処理装置は、機体と、この機体内の下部域に配置され、所定枚数重積した硬貨を包装して棒金を形成する包装部と、この包装部の上部域に配置され、前記機体内に受け入れた硬貨を金種別に収納し、収納した硬貨を前記包装部に繰出可能とする硬貨収納繰出部と、前記包装部の上部域に配置され、前記包装部で形成された棒金を収納し、収納した棒金を送出可能とする棒金収納送出部と、を具備する。
【０００８】
この新型の硬貨処理装置によれば、機体内の下部域に包装部を配置し、この包装部の上部域に硬貨収納繰出部および棒金収納送出部を配置したため、機体の幅方向寸法を小さくできる。さらに、硬貨収納繰出部内の硬貨を上方へ搬送して包装部に送り込む経路が不要になり、このことも機体の幅方向寸法を小さくすることに寄与する。
【先行技術文献】
【特許文献】
【０００９】
【特許文献１】特開２００５−２２８０８０
【特許文献２】特開２０１０‐１１３５３４
【発明の概要】
【発明が解決しようとする課題】
【００１０】
以上に説明した新型の硬貨処理装置は、機体の幅方向寸法が小さいため、ユーザの評判は上々である。しかしながら、本件発明者は、硬貨収納繰出部内の在高を確認する精査処理や出金処理が行われる場合に以下のような問題があることを知見した。
【００１１】
すなわち、精査処理が実施される際、硬貨収納繰出部内の硬貨を繰り出して計数した後で再び硬貨収納繰出部に戻す過程において、所定枚数単位で包装して棒金にできる分が包装部に自動的に送られてしまって、残った分だけが回収部（機内端数箱）に送られる。そして、作業者が手作業で回収部の端数分の硬貨を硬貨受入処理部（例えば入金ホッパ）に入れ、端数分の計数が終わって硬貨収納繰出部に戻した後で、作業者が手作業で棒金にされた分の硬貨を棒金をバラして硬貨受入処理部（例えば入金ホッパ）に入れる必要がある。この手作業を無くすことができれば、より一層便利である。
【００１２】
更に、出金処理が実施される際、硬貨収納繰出部内の硬貨を繰り出して出金箱に貯えるが、リジェクト硬貨と判別された硬貨が無い場合は、出金箱を機体より引き出して中の硬貨を取り出すが、リジェクト硬貨と判別された硬貨があれば、出金箱の底板を開けて出金箱に貯えられた全ての硬貨を回収部（機内端数箱）に送り、後で回収部の硬貨を硬貨受入処理部（入金ホッパ）にやはり手作業で入れる所謂出金リジェクト戻し処理をする必要がある。これらの手作業を無くすことができれば、より一層便利である。
【００１３】
本発明は、以上の知見に基づいて創案されたものである。本発明の目的は、精査処理や出金処理が行われる場合に、手作業を必要としない硬貨処理装置を提供することである。
【課題を解決するための手段】
【００１４】
本発明は、硬貨を受け入れる硬貨受入処理部と、前記硬貨受入処理部で受け入れられた硬貨を金種別に収納すると共に、収納した硬貨を繰り出す硬貨収納繰出部と、前記硬貨収納繰出部から繰り出された硬貨を搬送する出金用搬送部と、前記出金用搬送部で搬送された硬貨を一時保留する出金一時保留部と、硬貨を出金用に貯めておける出金箱と、硬貨を前記硬貨受入処理部まで搬送する循環用搬送部と、を備え、前記出金一時保留部は、一時保留された硬貨を、前記出金箱及び前記循環用搬送部のいずれか一方に選択的に放出するようになっていることを特徴とする硬貨処理装置である。
【００１５】
本発明によれば、硬貨を硬貨受入処理部まで搬送する循環用搬送部が設けられていることにより、精査処理が実施される際、硬貨収納繰出部内の硬貨を循環用搬送部によって硬貨受入処理部に投入することができ、硬貨を手作業で硬貨受入処理部に投入する必要がない。
【００１６】
前記循環用搬送部は、硬貨を一時的に貯めておける硬貨滞留部を備えてもよい。
【００１７】
通常、硬貨処理装置は、機体を有しており、前記出金箱は、前記機体から取り外すことができ、当該出金箱ごと貯めた硬貨を取り出せるようになっている。このような態様は、出金硬貨の取出処理にとって、好適である。
【００１８】
また、出金箱は、開放可能な蓋体を有しており、当該蓋体が開放することで、貯めた硬貨を放出するようになっていることが好ましい。このような態様は、硬貨を硬貨受入処理部に循環させる処理にとって、好適である。
【００１９】
循環用搬送部は、突起付きの搬送ベルトを有していることが好ましい。この場合、更に、突起付きの搬送ベルトの一部が、前記硬貨滞留部の底部の一部を構成していることが好ましい。
【発明の効果】
【００２０】
本発明によれば、出金部から放出された硬貨を硬貨受入処理部まで搬送する循環用搬送部が設けられていることにより、精査処理が実施される際、硬貨を手作業で硬貨受入処理部に投入する必要がない。また、本発明によれば、出金部から放出された硬貨を硬貨滞留部によって一時的に貯めておけるため、出金処理の際のリジェクト硬貨、または、リジェクト硬貨＋同時に出金処理された正常な硬貨を一時的に貯めておくという処理を実現でき、且つ、それらの硬貨は任意のタイミングで循環用搬送部によって硬貨受入処理部まで搬送され得るため、それらの硬貨を手作業で硬貨受入処理部に投入する必要がない。所謂出金リジェクト戻し処理を、空いている時間に手を介さずに行なうことができる。
【図面の簡単な説明】
【００２１】
【図１】本発明の一実施の形態の硬貨処理装置の内部構造を示す概略正面図である。
【図２】図１の硬貨処理装置の内部構造を示す概略平面図である。
【図３】図１の硬貨処理装置の内部構造を示す概略左側面図である。
【図４】図１の硬貨処理装置の内部構造を示す概略右側面図である。
【図５】図１の硬貨処理装置の循環用搬送部を示す概略側面図である。
【図６】図１の硬貨処理装置の循環用搬送部の要部を示す概略斜視図である。
【図７】図１の硬貨処理装置の硬貨の流れを示す説明図である。
【図８】本発明の他の実施形態を示す要部概略正面図である。
【発明を実施するための形態】
【００２２】
以下に、添付の図面を参照して、本発明の一実施の形態を詳細に説明する。図１は、本発明の一実施の形態の硬貨処理装置の内部構造を示す概略正面図であり、図２は、図１の硬貨処理装置の内部構造を示す概略平面図であり、図３は、図１の硬貨処理装置の内部構造を示す概略左側面図であり、図４は、図１の硬貨処理装置の内部構造を示す概略右側面図である。
【００２３】
図１乃至図４に示すように、本実施の形態の硬貨処理装置は、機体１１を有している。この機体１１内に、正面から見て（図１参照）上部左側域に、機体１１外から硬貨を受け入れて識別および分類する硬貨受入処理部１２が配置されている。
【００２４】
硬貨受入処理部１２の下部域に、硬貨受入処理部１２で金種別に分類された硬貨を一時保留する一時保留部１３が配置され、一時保留部１３の下部域に、一時保留部１３からの硬貨を収納したり繰り出したりする硬貨収納繰出部１４と、一時保留部１３からの硬貨を返却する返却箱１５と、が配置されている。
【００２５】
硬貨収納繰出部１４及び返却箱１５の下部域に、硬貨を所定枚数重積して包装して包装硬貨である棒金１６を形成する包装部１７が配置されている。包装部１７の上部右側域に、棒金１６を収納したり送り出す棒金収納送出部１８が配置されており、包装部１７及び棒金収納送出部１８の前部域に、棒金１６を搬送する棒金搬送部１９が配置されている。
【００２６】
すなわち、機体１１内の下部域に包装部１７が配置され、この包装部１７の上部域に硬貨収納繰出部１４と棒金収納送出部１８とが機体１１の左右方向である幅方向に並んで配置され、さらに、硬貨収納繰出部１４の上部域に一時保留部１３及び硬貨受入処理部１２が順に配置されている。
【００２７】
機体１１の前部側（図３の右側）において、一時保留部１３の前部域に、リジェクト硬貨を返却するための返却口２０が配置されており、包装部１７の前部域に、出金部に相当する出金箱２１が着脱可能に配置されている。包装部１７の下部域には、硬貨を回収するための回収部２２が着脱可能に配置されており（図１参照）、棒金収納送出部１８の前部域には、棒金１６を出金する棒金出金口２３、及び、棒金１６を一括収納する棒金一括収納部２４が着脱可能に配置されている（図１及び図４参照）。更に、包装部１７の前部域には、棒金１６を機外に投出する棒金投出口２５が配置されている（図１及び図４参照）。
【００２８】
硬貨受入処理部１２は、機体１１の上面に形成された投入口３１から投入されるバラ状態の硬貨を受け入れる供給円盤３２と、供給円盤３２から適量ずつ硬貨が供給される回転円盤３３と、回転円盤３３から１枚ずつ繰り出す硬貨を搬送する硬貨通路３４と、を有している。
【００２９】
硬貨通路３４は、回転円盤３３から機体１１の幅方向に沿って延設された識別通路部３５と、識別通路部３５から機体１１の奥行き方向へ向けて延設された分類通路部３６と、を有している（図２参照）。各通路部上には、硬貨を搬送する図示しない搬送ベルトが配置されている。
【００３０】
識別通路部３５には、搬送する硬貨の金種、真偽、正損等を識別する識別部３７が配置されている。
【００３１】
分類通路部３６には、上流側から下流側にかけて、リジェクト硬貨分岐部３８、任意硬貨分岐部３９、金種別硬貨分岐部４０が順に配置されている。金種別硬貨分岐部４０は、５円硬貨分岐部４０ａ、１円硬貨分岐部４０ｂ、５０円硬貨分岐部４０ｃ、１００円硬貨分岐部４０ｄ、１０円硬貨分岐部４０ｅ、及び、５００円硬貨分岐部４０ｆを有している。各分岐部３８〜４０には、該当する硬貨を落とし込ませて分岐する分岐孔４１がそれぞれ形成されている。分岐部３８〜４０ａは、ソレノイド等の電気的駆動手段により強制的に硬貨を分岐孔４１へ落とし込ませることができるようになっている。また、金種別分岐部４０ｂ〜４０ｆは、小径硬貨から大径硬貨の順に径選別して、該当する分岐孔４１へ落とし込ませることができるようになっている。
【００３２】
リジェクト硬貨分岐部３８の下部には、リジェクト硬貨を返却口２０に導く返却シュート４２が配置されている（図３参照）。
【００３３】
任意硬貨分岐部３９の下部には、シュート４３が配置されており（図３参照）、シュート４３の下部に袋取り用シュート４４とダイレクト包装用シュート４５が配置されている。また、シュート４３からの硬貨を袋取り用シュート４４またはダイレクト包装用シュート４５のいずれか一方に選択的に導く切換板４６が配置されている。袋取り用シュート４４は、機体１１の前面に配置される図示しない袋装着部に装着される袋へ硬貨を導いて収納させるためのシュートである。
【００３４】
また、一時保留部１３は、機体１１の奥行き方向に沿って金種別に並んで配置され、金種別硬貨分岐部４０で金種別に分岐される硬貨を受け入れて金種別に一時保留可能とする。一時保留部１３は、金種別の保留筒４９と、それら保留筒４９の底面を一括して開閉する底部材５０と、を有している。保留筒４９及び底部材５０は、それぞれ移動機構５１，５２によって、機体１１の幅方向に独立して移動可能に構成されている。
【００３５】
図１に示すように、保留筒４９が分類通路部３６の金種別硬貨分岐部４０の下方に位置すると共に保留筒４９の底面を底部材５０が閉塞した状態で、硬貨は一時保留可能である。一時保留した硬貨を収納する場合、保留筒４９のみが左方向の硬貨収納繰出部１４の上部域に移動し、保留筒４９の底面を開放して、保留筒４９内の硬貨を硬貨収納繰出部１４へ放出する。一方、一時保留した硬貨を返却する場合、底部材５０のみが返却箱１５の上部域から左方向に移動し、保留筒４９の底面を開放して、保留筒４９内の硬貨を返却箱１５に放出する。
【００３６】
本実施の形態では、硬貨収納繰出部１４は、機体１１の奥行き方向に金種別に並んで配置されており、一時保留部１３から放出される硬貨を受け入れて収納する金種別の硬貨収納部５６と、これら硬貨収納部５６の下部から硬貨を１枚ずつ繰り出す硬貨繰出部５７と、を有している。
【００３７】
硬貨繰出部５７は、例えば、硬貨が１枚ずつ入り込む複数の繰出孔を有する繰出用回転円盤５８を用いて、当該繰出用回転円盤５８の回転により、繰出孔に入り込んだ硬貨を１枚ずつ繰出用回転円盤５８の周辺部から側方へ繰り出すように構成されている。
【００３８】
図２に示すように、硬貨収納繰出部１４の側部には、硬貨収納繰出部１４の下部から繰り出される硬貨を受け入れるコンベヤ５９が、機体１１の奥行き方向に沿って配置されている。コンベヤ５９の中央域には、コンベヤ５９上から硬貨を払い出す払出機構６０が配置されており、コンベヤ５９の前端側には、硬貨を１層１列状態にする図示しない逆転ローラおよび１層１列状態となった硬貨を識別する出金識別部６１が配置されている。
【００３９】
そして、硬貨収納繰出部１４は、硬貨の包装時には、コンベヤ５９上の中央域より前側域に繰り出された硬貨を、コンベヤ５９の中央域への搬送と払出機構６０の作用によってコンベヤ５９上から払い出し、または、コンベヤ５９上の中央域より後側域に繰り出された硬貨を、コンベヤ５９の中央域への搬送と払出機構６０の作用とによってコンベヤ５９上から払い出すようになっている。コンベヤ５９上から払い出された硬貨は、シュート６２によって、包装部１７へ送り込まれる（図１参照）。すなわち、硬貨の包装時には、コンベヤ５９と払出機構６０とが、包装用搬送部として機能するようになっている。
【００４０】
また、硬貨収納繰出部１４は、硬貨の出金時（または回収時）には、コンベヤ５９上に受け入れた硬貨を前方へ搬送し、出金識別部６１による識別後に、シュート６３で出金箱２１に送り込むようになっている（図３参照）。すなわち、硬貨の出金時（または回収時）には、コンベヤ５９と払出機構６０とが、出金用搬送部として機能するようになっている。
【００４１】
また、返却箱１５は、機体１１の奥行き方向に長く、機体１１の前面から着脱可能に配置されている。
【００４２】
包装部１７には、シュート６２で導かれる硬貨収納繰出部１４から繰り出された硬貨、または、ダイレクト包装用シュート４５で導かれる任意硬貨分岐部３９で分岐されたダイレクト包装用の硬貨、を受け入れる包装用回転円盤６５と、包装用回転円盤６５の回転によって１枚ずつ繰り出される硬貨を受け入れて搬送する包装用硬貨通路６６と、が配設されている。
【００４３】
包装用硬貨通路６６には、硬貨を搬送する搬送ベルトが配置されている。また、包装用硬貨通路６６は、金種設定によって通路幅が包装する金種に対応して調整設定されるようになっており、包装金種より大径金種の硬貨が包装用硬貨通路６６に進入するのを規制すると共に、包装金種より小径金種の硬貨を包装用硬貨通路６６の通路面に設けられた図示されない排除口から排除するようになっている。排除口から排除された硬貨は、シュート６８を通じて回収部２２に回収されるようになっている（図１参照）。
【００４４】
包装用硬貨通路６６には、搬送される硬貨の枚数を検知したり硬貨の通過を検知するセンサや、当該センサの検知に基づいて包装用硬貨通路６６から下流域へ搬送される所定の重積枚数目の硬貨の次の硬貨を停止させるストッパ等が、配設されている。
【００４５】
包装用硬貨通路６６の下流域には、包装用硬貨通路６６から送り込まれる硬貨を下部側から上方へ順次重積していって所定枚数の硬貨を重積する重積部６９が配設されている。重積部６９は、包装機構７０の３本の包装ローラ７１の間でかつ包装用硬貨通路６６の通路面と同一面に配置された図示されない重積底板に対して略垂直に形成されている。重積部６９の下部には、重積底板から上方に突出する図示しない重積ローラが配設されており、当該重積ローラの回転によって、包装用硬貨通路６６から送り込まれる硬貨を重積部６９の下部に取り込むとともに、この硬貨の送込み方向の後端を包装用硬貨通路６６の通路面及び重積底板の上面より上昇させ、続いて送り込まれる硬貨の送込み方向の先端を重積部６９の下部に位置する硬貨の下側に取り込んで重積させる。
【００４６】
本実施の形態の包装機構７０は、所定枚数重積した重積硬貨を通路底板から上方に突出する図示されない支持ロッドで所定の包装位置まで押し上げ、３本の包装ローラ７１で重積硬貨の周面を挟持して回転させ、重積硬貨の周面に図示しない包装紙を巻き込む。これにより、包装紙を重積硬貨の周囲に巻き付けるとともに、包装紙の端部を重積硬貨の端面にかしめて、棒金１６を形成する。
【００４７】
従って、包装部１７は、硬貨を重積する重積位置と、重積硬貨を包装する包装位置と、が同一位置に配置されている。また、通路底板、重積ローラおよび支持ロッド等は、重積部６９の下方位置から退避可能となっていて、形成された棒金１６は下方へ放出可能となっている。
【００４８】
重積部６９の下方には、包装部１７から長手方向（重積方向）が上下方向に向く状態で放出される棒金１６を受け入れて、その長手方向を機体１１の前面に平行でかつ水平となる状態に変換しつつ前方へ向けて転がるように導く棒金シュート７２が配設されている（図４参照）。この棒金シュート７２の先端側には、横搬送部７３が配置されているとともに、この横搬送部７３から前方の棒金搬送部１９への棒金１６の放出と放出規制とを切り換える切換部材７４が配設されている。
【００４９】
横搬送部７３は、機体１１の側部に別の棒金収納装置を設置する場合に、その棒金収納装置との間で棒金１６を搬送するのに用いられる。
【００５０】
棒金収納送出部１８には、図４に示すように、複数の棒金１６を収納する金種別で複数の棒金トレイ７７が、前方へ下降傾斜した状態で、上下方向に複数段配置されている。これらの棒金トレイ７７は、機体１１の奥行き方向に長く、棒金１６の長手方向が機体１１の前面に平行でかつ水平となる状態で、複数の棒金１６を機体の奥行き方向に並べて収納するようになっている。また、棒金トレイ７７は、その傾斜によって、収納した棒金１６を前方に寄せて整列状態に収納するようになっている。各棒金トレイ７７は、それぞれ図示されない棒金トレイ駆動手段により、棒金トレイ７７の前端部が棒金搬送部１９に向かって前進した前進位置と当該前進位置から後方へ後退した後退位置との間で、傾斜方向に沿って移動可能となっている。
【００５１】
複数の棒金トレイ７７の前部域で、棒金搬送部１９との間には、各棒金トレイ７７に対応する複数のストッパ部７８を有するストッパ７９が、上下方向に移動可能に配置されている。このストッパ７９は、下降位置においては、前進する棒金トレイ７７の最前部の棒金１６にストッパ部７８が接触するが、上昇位置においては、前進する棒金トレイ７７の棒金１６にストッパ部７８が接触しないようになっている。
【００５２】
また、棒金搬送部１９は、長手方向が機体１１の前面に平行でかつ水平となる状態で棒金１６を搬送する棒金搬送ベルト８２を有している。棒金搬送ベルト８２は、上下のローラ８３にわたって上下方向に回動可能に張設されている。棒金搬送ベルト８２の周面には、棒金１６を支持して搬送する複数の棒金支持部８４が突設されている。また、棒金搬送ベルト８２の周囲には、棒金搬送ベルト８２との間で棒金１６をガイドするガイド体８５が配置されている。
【００５３】
ここで、棒金トレイ７７、ストッパ７９及び棒金搬送部１９による、棒金トレイ７７への棒金１６の収納と、棒金トレイ７７からの棒金１６の送り出しと、について説明する。
【００５４】
棒金トレイ７７への棒金１６の収納時には、包装部１７で包装されて前方へ放出される棒金１６を棒金搬送ベルト８２の棒金支持部８４に支持して上方へ搬送し、その棒金１６を収納する棒金トレイ７７の位置より上方まで一旦通過させた後、棒金１６を収納する金種の棒金トレイ７７を前進させ、前進する棒金トレイ７７の最前部の棒金１６を下降位置にあるストッパ７９のストッパ部７８で押さえ、棒金トレイ７７の最前部に棒金１６を収納するためのスペースを形成した後、棒金搬送ベルト８２で棒金１６を下降させて棒金トレイ７７の最前部のスペースに受け渡し、棒金トレイ７７を後退させる。
【００５５】
棒金トレイ７７からの棒金１６の送出時には、棒金トレイ７７の棒金１６に対してストッパ７９のストッパ部７８が接触しないように上方位置へ退避させた状態で、棒金トレイ７７を前進させ、棒金トレイ７７の最前部の棒金１６を棒金搬送ベルト８２の棒金支持部８４ですくい上げ、棒金トレイ７７を後退させる。
【００５６】
なお、棒金搬送ベルト８２の前部域には、棒金出金口２３、棒金一括収納部２４及び棒金投出口２５が配置されており、それらの各位置に対応して、棒金搬送ベルト８２で搬送される棒金１６を選択的に棒金出金口２３、棒金一括収納部２４及び棒金投出口２５へ送り込む切換板８６、８７、８８が配置されている。
【００５７】
また、出金箱２１は、機体１１の前面から着脱可能に配置されていて、出金箱２１を機体１１より取り出すことにより、当該出金箱ごと中に貯めた硬貨を取り出せるようになっている一方、出金箱２１の底は開放され、蓋体となる底板９１（図１参照）で塞がれている。底板９１は開閉可能に構成されていて、当該底板９１が開放することで中に貯めた硬貨を落下させて放出するようになっている。底板９１は本実施の形態では図３のように後方へスライドすることで出金箱２１底面を開放するようになっているが、一端を軸（図示せず）を中心に回動させて出金箱２１底面を開放するようになっていてもよい。
【００５８】
出金箱２１の装着場所の下部域には、出金箱２１の底板９１の開放によって放出される硬貨が滞留可能な硬貨滞留部１２２が形成されている。硬貨滞留部１２２へはシュート９２を介して出金箱２１から硬貨が送られる。この硬貨滞留部１２２の底面の一部は、突起付きの搬送ベルト１２０によって構成されている。この突起付きの搬送ベルト１２０が、出金箱２１から放出された硬貨を硬貨受入処理部１２まで搬送する循環用搬送部として機能するようになっている。
【００５９】
ここで、図５は、図１の硬貨処理装置の循環用搬送部である突起付きの搬送ベルト１２０を示す概略側面図であり、図６は、図１の硬貨処理装置の循環用搬送部である突起付きの搬送ベルト１２０の要部を示す概略斜視図である。
【００６０】
突起付きの搬送ベルト１２０は、図５に示すように、駆動プーリ１２７と従動プーリ１２８との間に架け渡され、図で時計方向周りに移動する。突起付きの搬送ベルト１２０の表面には、等間隔で多数の突起１２０ｐが形成され、硬貨が図６に示すように突起１２０ｐと係合しながら硬貨受入処理部１２まで搬送されていく。
【００６１】
硬貨滞留部１２２は、前述のごとく突起付きの搬送ベルト１２０で構成された底面と、当該底面の周囲に設けられた図６に示すような周壁１２９と、で構成されており、出金箱２１より落下して前記底面で受け止められた硬貨が、前記周壁１２９によってこぼれ落ちないようになっている。
【００６２】
図３、図５及び図６に示すように、突起付きの搬送ベルト１２０は、硬貨滞留部１２２の底面の一部を構成する箇所においては水平であるが、鉛直方向に立ち上がって、硬貨が外れ落ちないようにするガイド１２６と協働して、硬貨受入処理部１２の上方にて折り返すという搬送路を形成している。硬貨受入処理部１２の上方の突起付きの搬送ベルト１２０による搬送路の折り返し部分には、図３及び図５に示すように、硬貨投入ガイド１２３と、硬貨投入シュート１２４と、が設けられている。
【００６３】
次に、以上のように構成された硬貨処理装置の作用について説明する。図７は、図１の硬貨処理装置の硬貨の流れを示す説明図である。
【００６４】
硬貨の入金処理時には、投入口３１に投入された硬貨が回転円盤３３から１枚ずつ硬貨通路３４に繰り出される。硬貨通路３４に搬送された硬貨は、識別部３７によって識別される。識別の結果、リジェクト硬貨と識別された硬貨は、リジェクト硬貨分岐部３８で分岐されて、返却シュート４２によって返却口２０へ送り込まれる。正常と識別された硬貨は、金種別硬貨分岐部４０で金種別に分岐されて、一時保留部１３にて金種別に一時保留される。
【００６５】
一時保留後の収納指令に基づいて、一時保留部１３にて一時保留されていた硬貨は硬貨収納繰出部１４に金種別に収納される。（あるいは、一時保留後の返却指令に基づいて、一時保留部１３に一時保留されていた硬貨は返却箱１５に送り込まれる。この場合、返却箱１５を機体１１から取り外すことで、返却箱１５内の返却硬貨を取り出すことができる。）
次に、硬貨の出金処理時には、出金用搬送部としてのコンベヤ５９上に硬貨収納繰出部１４から硬貨が繰り出され、当該コンベヤ５９によって搬送されて、出金識別部６１によって識別され、出金箱２１へ送り込まれる。このとき、出金箱２１の底板９１は閉じており、送り込まれる硬貨は全て出金箱２１に保留される。
【００６６】
ここで、出金識別部６１を経て出金箱２１に送り込まれた出金分の硬貨全てが正常と識別されていれば、出金箱２１のロックが解除され、出金箱２１を機体１１から取り外すことで、出金箱２１内の出金硬貨を取り出すことが可能となる。
【００６７】
一方、出金識別部６１で例えば異金種などの異常硬貨（リジェクト硬貨）が識別されれば、出金箱２１の底板９１が開放されて、出金箱２１に送り込まれた硬貨（リジェクト硬貨とあわせて既に出金箱２１に送り込まれていた硬貨）およびコンベヤ５９上の硬貨は硬貨滞留部１２２に落下してここで一旦保留される。そして、硬貨収納繰出部１４からの出金分の硬貨の繰り出しが最初から再開され、すなわち、出金処理が再度行われる。硬貨滞留部１２２に落下した硬貨については、作業者が所望する任意のタイミングで、循環用搬送部としての突起付きの搬送ベルト１２０によって、硬貨受入処理部１２まで搬送され、再入金される。所謂出金リジェクト戻し処理が、人手を介することなく行なわれる。再入金された硬貨は、識別部３７で正常硬貨と判断されれば金種別の硬貨収納繰出部１４へ戻される。
【００６８】
次に、硬貨収納繰出部１４の硬貨を精査する精査処理時にも、コンベヤ５９上に硬貨収納繰出部１４から硬貨が繰り出され、当該コンベヤ５９によって搬送されて、出金識別部６１によって識別され、出金箱２１へ送り込まれる。このとき、出金箱２１の底板９１は開放され、送り込まれる硬貨は全て硬貨滞留部１２２に落下する。そして、循環用搬送部としての突起付きの搬送ベルト１２０によって自動的に硬貨受入処理部１２まで搬送され、再入金される。再入金された硬貨は、識別部３７で識別・計数され、硬貨収納繰出部１４へ戻る。
【００６９】
次に、投入する硬貨を入金せずに計数して取り出す計数時にも、投入口３１に投入された硬貨が回転円盤から１枚ずつ硬貨通路３４に繰り出される。硬貨通路３４に搬送された硬貨は、識別部３７によって識別・計数される。そして、識別後の硬貨は、硬貨通路３４の任意硬貨分岐部３９によって分岐されて、袋取り用シュート４４によって機体１１の前面に配置される図示されない袋装着部に装着される袋へ導かれて収納される。
【００７０】
次に、硬貨収納繰出部１４の硬貨を包装する包装処理時には、包装用搬送部としてのコンベヤ５９上に硬貨収納繰出部１４から硬貨が繰り出され、当該コンベヤ５９によって搬送されて、包装部１７へ送り込まれる。そして、包装部１７において棒金１６が作成される。包装部１７で作成された棒金１６は、棒金搬送部１９の棒金搬送ベルト８２に受け渡され、当該棒金搬送ベルト８２で上方に搬送されて棒金収納送出部１８の該当金種の棒金トレイ７７に収納される。
【００７１】
棒金収納送出部１８に収納されている棒金１６の出金時あるいは回収時には、棒金搬送ベルト８２で棒金トレイ７７から必要な棒金１６が取り出され、棒金出金口２３または棒金一括収納部２４に送り込まれる。
【００７２】
次に、投入する硬貨を入金せずに包装して取り出すダイレクト包装時には、投入口３１に投入された硬貨が回転円盤から１枚ずつ硬貨通路３４に繰り出され、硬貨通路３４に搬送する硬貨は、識別部３７によって識別され、硬貨通路３４の任意硬貨分岐部３９で分岐され、ダイレクト包装用シュート４５を通じて包装部１７へ送り込まれる。そして、包装部１７において棒金１６が作成される。包装部１７で作成された棒金１６は、棒金搬送部１９の棒金搬送ベルト８２に受け渡され、当該棒金搬送ベルト８２で搬送されて棒金投出口２５から機外に投出される。
【００７３】
以上のように、本実施の形態によれば、出金箱２１から放出された硬貨を硬貨受入処理部１２まで搬送する循環用搬送部としての突起付きベルト１２０が設けられていることにより、精査処理が実施される際、硬貨を手作業で硬貨受入処理部１２に投入する必要がない。また、本実施の形態によれば、出金箱２１から落下された硬貨を硬貨滞留部１２２によって一時的に貯めておけるため、出金処理の際のリジェクト硬貨、または、リジェクト硬貨＋同時に出金処理された正常な硬貨を一時的に貯めておくという処理を実現でき、且つ、それらの硬貨は任意のタイミングで循環用搬送部である突起付きベルト１２０によって硬貨受入処理部１２まで搬送され得るため、それらの硬貨を手作業で硬貨受入処理部１２に投入する必要がない。所謂出金リジェクト戻し処理が、人手を介することなく、任意のタイミングで行なわれる。
【００７４】
なお、本発明の硬貨処理装置は、前述した態様に限定されることなく、様々な変更を加えることができる。
【００７５】
例えば、前述の実施の形態では、出金箱２１がそのまま出金部として機能するものであるが、出金部としては、図８に示すように、硬貨収納部５６からコンベア５９上に繰り出された硬貨を一旦貯える出金一時保留部１３０と、出金箱２１と、で構成することもできる。この場合、出金箱２１の底は塞がったままであり、出金一時保留部１３０の底面が、底板１３１によって開閉自在に構成されている。出金一時保留部１３０と底板１３１とは夫々独立して水平方向に移動自在となっている。そして出金時は、出金一時保留部１３０のみが、図において左方向に移動して出金箱２１上に位置付けられることにより、出金一時保留部１３０内に貯えられていた硬貨が出金箱２１へ放出される。一方、精査処理や出金リジェクト戻し処理を行なうときは、底板１３１のみが図において左方向に移動して、出金一時保留部１３０内に貯えられていた硬貨が硬貨滞留部１２２へ放出され得る。
【００７６】
また、前述の実施の形態では、突起付きのベルト１２０によって循環用搬送部を構成しているが、循環用搬送部としては、突起付きベルト以外にも、例えば一対の循環ベルトの間に硬貨を挟んで搬送するという構成も採用され得る。
【００７７】
また、前述の実施の形態では、出金箱２１から硬貨を硬貨滞留部１２２へ放出するのに出金箱２１の底を開放するようにしているが、出金箱の底面に傾斜をつけ、出金箱の側面を開放することで、中の硬貨が底面の傾斜に沿って硬貨滞留部１２２へ放出されるという構成も採用され得る。
【符号の説明】
【００７８】
１１  機体
１２  硬貨受入処理部
１３  一時保留部
１４  硬貨収納繰出部
１５  返却箱
１６  棒金
１７  包装部
１８  棒金収納送出部
１９  棒金搬送部
２０  返却口
２１  出金箱
３１  投入口
３２  供給円盤
３３  回転円盤
３４  硬貨通路
３７  識別部
５６  硬貨収納部
５７  硬貨繰出部
５９  コンベヤ（出金用搬送部と包装用搬送部とを兼ねる）
６０  払出機構
６１  出金識別部
６５  包装用回転円盤
６６  包装用硬貨通路
６９  重積部
７０  包装機構
９１  底板
１２０  突起付きの搬送ベルト
１２２  硬貨滞留部
１２３  硬貨投入ガイド
１２４  硬貨投入シュート
１２６  ガイド
１３０  出金一時保留部
【図１】
0006534533.tif 000002
【図２】
0006534533.tif 000003
【図３】
0006534533.tif 000004
【図４】
0006534533.tif 000005
【図５】
0006534533.tif 000006
【図６】
0006534533.tif 000007
【図７】
0006534533.tif 000008
【図８】
0006534533.tif 000009